(57)【要約】【課題】  蓋体をヒンジ回りに回動して開閉するディスク装置でディスクの装着及び取り出しの手扱い操作を容易なものとする。【解決手段】  蓋体１１が開の状態のとき、装置本体１２に持ち上がるように付勢された下ディスクガイド２１と、蓋体１１に垂下するように付勢された上ディスクガイド２２とで形成される開口部の交点Ｘ１，Ｘ２と、奥ディスクガイド２３の隅部２３ｅの３点でディスク３を支持しながら押し込むようにし、ディスク３のターンテーブル１４ａへの装着位置まで押し込み終わると、第１の摺動ガイド１５のラッチ機構１５ａで奥ディスクガイド２３が係止され、この状態で蓋体１１を閉止できるようにし、蓋体１１を開操作すると、奥ディスクガイド２３の係止が解除されて，ディスク３が取り出し容易な位置まで押出すようにした。【選択図】        図１
2005346888.tif 000002
【特許請求の範囲】
【請求項１】
ディスク状記録媒体が回転自在に保持されるターンテーブルを備え、前記ターンテーブルに保持されたディスク状記録媒体を着脱するための蓋体が装置本体にヒンジを支点として開閉自在に取付けられたディスク装置において、
前記蓋体の開動作に連動して、前記ターンテーブルに保持されたディスク状記録媒体を前記ターンテーブルから外して偏心した位置に移動させるガイド部材を備えた
ことを特徴とするディスク装置。
【請求項２】
請求項１に記載のディスク装置において、
前記ガイド部材として、
前記ディスク状記録媒体を前記装置本体と前記蓋体との間で挟持する第1及び第２のガイド部材と、
前記第１及び第２のガイド部材で挟持された前記ディスク状記録媒体の外周を押し出す第３のガイド部材とを備えた
ことを特徴とするディスク装置。
【請求項３】
請求項２に記載のディスク装置において、
前記第１，第２及び第３のガイド部材は、前記蓋体を閉じた状態のとき、前記ターンテーブルに保持された前記ディスク状記録媒体と接触しない位置に収納される
ことを特徴とするディスク装置。
【発明の詳細な説明】
【技術分野】
【０００１】
本発明は、例えば、光ディスクなどのディスク状記録媒体の再生などを行うディスク装置に関し、特にディスクの着脱のための蓋体を有するディスク装置のディスク挿入機構に関する。
【背景技術】
【０００２】
従来、コンパクトディスクなどのディスク状記録媒体を再生するためのポータブルなディスク再生装置が各種実用化されている。なお、以下の説明では、ディスク状記録媒体全般を単にディスク、また、ディスク再生装置を単にディスク装置と述べる。
【０００３】
ディスクを使用したディスク装置として、例えば、図１２及び図１３に示すような形態の電子機器が知られている。この電子機器は、音楽ＣＤ（compact disc）の再生などのディスクに予め記録されている情報の読出し（再生）を行うことができるもので、駆動源としてバッテリ及びＡＣ電源を用いることができ、携帯状態で音楽ＣＤ再生装置として使用できるようにした、いわゆるポータブル型のディスク装置である。
【０００４】
このディスク装置１１０は、図１２及び図１３に示すように、蓋体１１１と装置本体１１２から構成され、蓋体１１１は、装置本体１１２の一端に図示しないヒンジにより開閉自在に設けられる。そして、図１３に示すように、ヒンジと装置本体１１２のターンテーブル１１４ａに対し、略反対の前面側にロック解除ボタン１１３が設けられ、このロック解除ボタン１１３と係合するように蓋体１１１に閉止リブ１１１ａが設けられる。
ディスク３の装着は、先ずロック解除ボタン１１３を押し、閉止リブ１１１ａを装置本体１１２との係合から解除して蓋体１１１を開けた状態とし、ターンテーブル１１４ａの上にディスク３を装着するための作業空間を確保し、次に、装置本体１１２の略中央に配設される図示しないディスク駆動機構のターンテーブル１１４ａに人手で載置する。このとき、ターンテーブル１１４ａの上部に一体に設けられるディスクチャック１１４ｂにディスク３のセンターホール３ａを押し入れ、このディスクチャック１１４ｂに設けられている複数の把持爪によりディスク３をターンテーブル１１４ａに固定するようにしていた。
【０００５】
また、ディスク３をディスク装置１１０から外すときは、先ず、図１２に示すように、ディスク３の外周の下側の縁辺３ｂに指を掛けて持ち上げ、ディスク３をディスクチャック１１４ｂから外した後、さらにディスク３のセンターホール３ａに指を掛け、ディスク３の外周とセンターホール３ａとでディスク３を把持し、次に、ディスク３の裏面をディスクチャック１１４ｂや装置本体１１２の外筐の周縁に接触しないように注意しながら取り出していた。
そして、このようにしてディスク３を着脱できるようにするため、装置本体１１２の前面側に、ディスク３の外周に指を掛けるための切欠き１１２ａによるスペースを設けるようにしていた。
【０００６】
なお、従来知られているこの種のディスク装置としては、特許文献１に開示されているようなものがある。
【特許文献１】特開平１１−１４４４４５号公報（２頁，図４）
【発明の開示】
【発明が解決しようとする課題】
【０００７】
しかしながら、この種のディスク装置は、近年小型化が図られており、例えば図１２及び図１３例のディスク装置１１０では、装置本体１１２の前面側に、ディスク３の外周の下側に設けられる、指を掛けるための切欠き１１２ａによるスペースを十分大きく確保することができず、ディスク３の取り出しにおける作業性が良好なものとは言えなかった。すなわち、例えば、図１２に示した指ｆでディスク３の外周をもつ必要があるが、装置の小型化により必ずしも持ち易い状態とは言えなかった。
【０００８】
本発明はかかる点に鑑み、ディスク装置の外筐とディスクとの寸法余裕が少なくてもディスクの着脱における作業性が良好なディスク装置を提案することを目的とする。
【課題を解決するための手段】
【０００９】
上記課題を解決し、本発明の目的を達成するため、本発明は、ディスク状記録媒体が回転自在に保持されるターンテーブルを備え、このターンテーブルに保持されたディスク状記録媒体を着脱するための蓋体が装置本体にヒンジを支点として開閉自在に取付けられたディスク装置において、蓋体の開動作に連動して、ターンテーブルに保持されたディスク状記録媒体をターンテーブルから外して偏心した位置に移動させるガイド部材を備えたものである。
【００１０】
このように構成したディスク装置によれば、ディスク状記録媒体が装着された状態で蓋体を開けると、ディスク状記録媒体がガイド部材によりターンテーブルから外れた位置に配される。
【発明の効果】
【００１１】
本発明によれば、ディスク状記録媒体が回転自在に保持されるターンテーブルを備え、このターンテーブルに保持されたディスク状記録媒体を着脱するための蓋体が装置本体にヒンジを支点として開閉自在に取付けられたディスク装置において、蓋体の開動作に連動して、ターンテーブルに保持されたディスク状記録媒体をターンテーブルから外して偏心した位置に移動させるガイド部材を備えたので、ディスク状記録媒体が装着された状態で蓋体を開けると、ディスク状記録媒体がガイド部材によりターンテーブルから外れた位置に配され、ディスク状記録媒体をターンテーブルから外す手間が省け操作性が向上するとともに、ユーザーがディスク状記録媒体を自らの手でターンテーブルから外さなくてよくなるため、ディスク状記録媒体を外すために必要な装置本体とディスク状記録媒体との間の余分な指掛けのスペースを確保する必要が無くなる。
【００１２】
この場合、ガイド部材として、ディスク状記録媒体を装置本体と蓋体との間で挟持する第1及び第２のガイド部材と、この第１及び第２のガイド部材で挟持されたディスク状記録媒体の外周を押出す第３のガイド部材とを備えたので、ディスク状記録媒体を第１，第２及び第３のガイド部材で安定に支持した状態でターンテーブルから外れた位置に配することができる。
【００１３】
また、第１，第２及び第３のガイド部材は、蓋体を閉じた状態のとき、ターンテーブルに保持されたディスク状記録媒体と接触しない位置に収納されるので、ディスク状記録媒体の再生がこれらと干渉することなく行うことができる。
【発明を実施するための最良の形態】
【００１４】
以下、本発明のディスク装置を実施するための一実施の形態の例を図１〜図９を参照して説明する。
【００１５】
先ず、本例のディスク装置の全体形状を、図１〜図５を参照して説明する。
図１は、ディスク装置の構成を示し、蓋体が開の状態で蓋体を透視して示した斜視図で、図２は、図１の断面模式図である。図３は、ディスク装置の構成を説明するため、蓋体と奥ディスクガイドを装置本体から外して示した斜視図であり、図４は、ディスク装置の構成を示し、図４Ａは蓋体が閉の状態で蓋体を透視して示した上面図で、図４Ｂは側断面図である。図５は、ターンテーブルにおけるディスクの保持状態を示す断面図である。
【００１６】
本例のディスク装置は、直径１２ｃｍ程度のコンパクトディスクと称される光ディスクをターンテーブルに装着し、記録又は再生を行うものである。
図１及び図２に示すように、ディスク装置１０の蓋体１１を開状態とすることで、ディスク３の着脱が行え、記録又は再生を行うときには図４Ａ及びＢに示すように蓋体１１を閉状態とする。
図１，図２及び図４に示す本例のディスク装置１０は、ディスク３の挿入の際にディスク３のガイドを設けるようにするとともに、ターンテーブル１４ａの上でのディスク３の保持をクランプ１９による押え込みで行うようにしたものである。ターンテーブル１４ａに保持されたディスク３は、光学ピックアップ（図示せず）により再生を行う。
【００１７】
ディスク装置１０は、蓋体１１と装置本体１２から構成され、図１に示す右側の奥に設けられるヒンジ１８により蓋体１１が開閉自在とされている。ここで、蓋体１１と装置本体１２が連結されるヒンジ１８の回動軸には、図示しない付勢ばねが組み込まれ、図２に示す矢印Ｃの方向に付勢し、蓋体１１を開の方向に付勢している。
【００１８】
蓋体１１には、図３に示すように、その略中央にクランプ１９と、クランプ１９に対しヒンジ１８の反対側に、上辺が蓋体１１に固定され、例えばＬ字型に突出した形状とした閉止リブ１１ａとを設け、後述のオープンつまみ１３と係合するようにする。
クランプ１９は、図３に示すように、円板状の軟質プラスチックなどで形成され蓋体１１の内側に回転自在に配設されるもので、中央に円形の凹部が形成されるとともに、内部に永久磁石が一体に埋設されている。そして、ターンテーブル１４ａにおけるディスク３の保持状態を示す断面図５に示すように、蓋体１１に一体に設けたクランプ支持部１１-1に、クランプ１９が遊び余裕をもって保持されている。また、中央の円形の凹部は、ターンテーブル１４ａ中央の後述のディスクホールド１４ｃに係合する形状に形成される。
【００１９】
また、装置本体１２には、図３に示すように、その略中央には図示しないスピンドルモータ１４（図５参照）とその軸に直結してターンテーブル１４ａを設け、ターンテーブル１４ａに対しヒンジ１８の反対側に閉止手段であるオープンつまみ１３を設ける。
オープンつまみ１３は、その上面に長穴が設けられ、装置本体１２の前側にスライド自在に取り付けられる。そして、蓋体１１が閉じられ、閉止リブ１１ａが装置本体１２のオープンつまみ１３の長穴に挿入されたとき穴の端部に引っ掛かることにより蓋体１１と装置本体１２が閉止され、オープンつまみ１３を僅か横方向にずらすことで、この引っ掛かりが解除され、ヒンジ１８の回動軸に組み込まれた付勢ばねにより蓋体１１が開の状態となる。
ターンテーブル１４ａは、図３に示すように、鉄などの強磁性体の金属円板に弾性をもつ樹脂がライニングされ、中央にディスク３のセンターホール３ａと係合する低い円柱状のディスクホールド１４ｃが設けられる。そして、ディスクホールド１４ｃは、円柱の上縁辺が面取りされ、略上半分が台形状に成形される。
【００２０】
そして、ディスク３がターンテーブル１４ａに載置され、蓋体１１が閉の状態のとき、図５に示すように、ターンテーブル１４ａのディスクホールド１４ｃとクランプ１９の円形の凹部とでディスク３を挟持し、ディスク３に傷を付けずに保持するとともにターンテーブル１４ａの回転運動を損なわないようにしている。なお、このとき、クランプ１９の永久磁石の吸着力によって、ディスク３がターンテーブル１４ａに押し付けられ、ディスク３ががたなく固定できるようにしている。
【００２１】
ディスク装置１０には、図１及び図２に示すように、装置本体１２に設けられる第１のディスクガイドである下ディスクガイド２１と、蓋体１１に設けられる第２のディスクガイドである上ディスクガイド２２と、装置本体１２に設けられる第１の摺動ガイド１５と、蓋体に設けられる第２の摺動ガイド１６と、これら第１の摺動ガイド１５と第２の摺動ガイド１６とに両端部が回動自在に係合される第３のディスクガイドである奥ディスクガイド２３と、第１の摺動ガイド１５のヒンジ１８の側の端１５-2近くに設けられるラッチ機構１５ａなどが備えられている。
【００２２】
下ディスクガイド２１は、図１及び図４Ａに示すように、プラスチックなどの薄板で略線対称に形成されるもので、その形状を先ず略台形とし、台形の２つの斜辺を曲線２１ｂ，２１ｃで形成し、そして台形の下底辺にＶ字状に切り込みを入れＶ字状の凹部２１ａを設ける。
そして、下底辺のＶ字状の凹部２１ａの両端に下ディスクガイド２１の主面２１-1に略垂直で板状の突片２１-2，２１-3を一体に形成する。２つの突片２１-2，２１-3は、互いの面が略平行となり、その間隔をディスク３の外径より大きめの寸法で、高さを蓋体１１の閉の状態で蓋体１１内面と装置本体１２の上面１２-1との間隙を所定寸法に保つように形成される（図４Ｂ参照）。
また、下ディスクガイド２１の上底辺には、回動の軸を挿通するための孔２１-4が設けられ、装置本体１２の上面１２-1のターンテーブル１４ａとオープンつまみ１３との間に設けた軸がこの孔２１-4に挿通され、回動自在に配設される。
なお、下ディスクガイド２１は、図２に示すように、装置本体１２の上面１２-1とねじりコイルバネ１２ｂで連結され、図示の矢印Ａで示す反時計回り方向に付勢されている。また、下ディスクガイド２１の２つの曲線２１ｂ，２１ｃ形状とした辺は、ディスク装置１０を上方から蓋体１１を透視して見た図４Ａに示すように、ディスク３の外径の曲率よりも大きく形成される。
【００２３】
上ディスクガイド２２は、図１に示すように、高弾性を有するピアノ線などを防錆処理した金属の線材を曲げ加工して形成されるものである。
上ディスクガイド２２は、図４Ａ及び図６Ａに示すように、略線対称に形成されるものであり、先ず１本の金属線の中央に設けた直線部２２ｈの両側から、この直線部２２ｈに直交するように略同じ長さの直線部２２ａ-1，２２ａ-2を設け大きなコの字部を形成する。
そして、直線部２２ａ-1，２２ａ-2の端部からさらにコの字と略同一面上で外に広がるような角度をもって略同じ長さの直線部２２ｂ-1，２２ｂ-2を設ける。この直線部２２ｂ-1と直線部２２ｂ-2とがなす角度は、図４Ａに示すように、下ディスクガイド２１のＶ字状の凹部２１ａの角度と略同じになるように形成する。
そして、直線部２２ｂ-1の端に小さいコの字状部２２ｃ、直線部２２ｂ-2の端に小さいコの字状部２２ｄを形成し、この２つコの字状部２２ｃ，２２ｄの端から下ディスクガイド２１の２つの曲線２１ｂ，２１ｃの辺よりも大きな曲率の曲線部２２ｅ，２２ｆを形成する。
それから、この曲線部２２ｅ，２２ｆの端から直線部２２ｇ-1，２２ｇ-2を形成して上ディスクガイド２２の主な曲げ加工がなされる。
なお、以下では、直線部２２ｇ-1，曲線部２２ｅ，直線部２２ｇ-2及び曲線部２２ｆをサポート部２２-2、直線部２２ｂ-1，２２ａ-1，２２ｈ，２２ａ-2及び２２ｂ-2をガイド部２２-1と述べる。
【００２４】
このように曲げ加工された後、上ディスクガイド２２はさらに形状を次のように微調整する。
先ず、上ディスクガイド２２は、図４Ａに示すように、コの字形状部２２ｃ，２２ｄ以外のガイド部２２-1とサポート部２２-2とが略同一平面上に載るように調整され、コの字形状部２２ｃ，２２ｄがこの平面に対して略直立するように曲げ部を調整する。
また、コの字形状部２２ｃ，２２ｄは、２つのコの字で形成される面が略同一面上に載るように調整されたのち、直線部２２ｇ-1，２２ｇ-2に略平行とし、その内法間隔を上述の下ディスクガイド２１の突片２１-2と突片２１-3の間隔と略同一の寸法とし、さらに高さを蓋体１１の閉の状態で蓋体１１内面と装置本体１２の上面１２-1との間隙を所定寸法に保つように調整される（図４Ｂ参照）。
そして、サポート部２２-2の、直線部２２ｇ-1，２２ｇ-2が同一軸で、ガイド部２２-1の直線部２２ｈに対して略平行となり、直線部２２ａ-1と直線部２２ａ-2とが略平行となり、直線部２２ａ-1に対し直線部２２ｂ-1がなす角度と直線部２２ａ-2に対し直線部２２ｂ-2がなす角度が略同じになるように略線対称に整形する。これにより、ガイド部２２-1の直線部２２ｂ-1と直線部２２ｂ-2とにより、図６Ａの２点鎖線で示す逆Ｖ字状の凹部２２ｊが形成される。
【００２５】
さらに、上ディスクガイド２２は、図６Ｂに示すように、サポート部２２-2に対して、図６Ａに示す内側に配されるガイド部２２-1を、コの字形状部２２ｃ，２２ｄの回りに角度Φをなすようにねじる。
このように整形された上ディスクガイド２２は、ガイド部２２-1とサポート部２２-2との角度Φを小さくすると逆方向に付勢力が生じるものとなる。
それから、上ディスクガイド２２は、図１及び図４Ａに示すように、上ディスクガイド２２のガイド部２２-1の直線部２２ｇ-1，２２ｇ-2（図６Ａ及びＣ参照）を、蓋体１１のクランプ１９と閉止リブ１１ａとの間に設けられたヒンジ部材２９-1，２９-2の円筒部に回動自在に挿通する。
このように蓋体１１に組み込まれた上ディスクガイド２２は、蓋体１１が開の状態の図２に示すように、金属の線材の曲げ加工により付与された付勢力により、図２に示す矢印Ｂの垂下する（時計回り）方向に付勢され、コの字形状部２２ｃ，２２ｄが、装置本体１２の上面に当接するようになされる。なお、上ディスクガイド２２の付勢力は、下ディスクガイド２１を付勢するねじりコイルバネ１２ｂの付勢力よりも小さくなるように曲げ加工のときに角度Φが調節される。
【００２６】
第１の摺動ガイド１５は、図３及び図４Ａに示すように、装置本体１２の上面１２-1に設けられるものである。そして、詳細は図示しない対物レンズ、半導体レーザ、光学系、アクチュエータ、プリント配線基板、駆動軸などからなるメカドライブ機構３０との干渉を避けるように、このメカドライブ機構３０の図４Ａに示す左側に配設され、長さをターンテーブル１４ａの略中心からヒンジ１８の近くまでとして、ヒンジ１８の回動軸に略直交する向きに設けられる。
また、第１の摺動ガイド１５には、後述する奥ディスクガイド２３の突起片２３ａが摺動自在に設けられるが、この奥ディスクガイド２３をヒンジ１８の側からターンテーブル１４ａの方向に付勢できるようにする図示しない付勢手段が組み込まれる。
【００２７】
さらに、図２に示すように、この第１の摺動ガイド１５のヒンジ１８の側の端１５-2の近くには、ラッチ機構１５ａが設けられる。このラッチ機構１５ａは、一度第１の操作により機構内の係止手段を作動させると第２の操作を加えない限り第１の操作後の状態を保ち、第２の操作により係止手段が開放されるように作動するものである。
そして、後述する奥ディスクガイド２３がラッチ機構１５ａに当接したとき、略その位置で奥ディスクガイド２３を係止できるようにし、この位置から僅か奥側に奥ディスクガイド２３を押すことでラッチ機構１５ａを係止から解除するようになされる。なお、このラッチ機構１５ａの一例としては、実開昭５８−１４８４１６０号公報に開示されているものがある。
【００２８】
第２の摺動ガイド１６は、図３及び図４Ａに示すように、蓋体１１に設けられるものである。そして、蓋体１１を透視して上から見た図４Ａに示すように、クランプ１９との干渉を避けるように、メカドライブ機構３０の図４Ａに示す右側に配設され、クランプ１９の中心を第２の摺動ガイド１６の略中央としてヒンジ１８側の奥の端１６-2から手前の端１６-1までの範囲で移動でき、第１の摺動ガイド１５と略平行に設けられるものである。そして、この第２の摺動ガイド１６には、後述する奥ディスクガイド２３の突起片２３ｂが回動自在かつ摺動自在に配設される。
【００２９】
奥ディスクガイド２３は、図７に示すような形状をなし、上述の第１の摺動ガイド１５および第２の摺動ガイド１６に、その両端部が摺動自在に配設されるものである。
奥ディスクガイド２３は、図７Ａに示すように、例えばプラスチック素材で断面が矩形の棒を略１／４円弧形状に成形し、図７Ｂに示すように、両端に突起片２３ａと突起片２３ｂを上下に一体に設けたものである。ここで、形成される円弧の曲率半径は、図４Ａに示す第１の摺動ガイド１５と第２の摺動ガイド１６との距離と略同じ大きさとしたものである。
【００３０】
この奥ディスクガイド２３の、図７Ｃに示す下側に設けられる長い突起片２３ａには孔２３ｃが穿孔され、図７Ｃに示す上側に設けられる短い突起片２３ｂには孔２３ｄが穿孔され、孔２３ｃと孔２３ｄの中心軸が略平行となるようになされる。
そして、奥ディスクガイド２３の、一端の突起片２３ａの孔２３ｂには、第１の摺動ガイド１５と摺動自在に係合する係合ピン１５ｃが配設され、他端の突起片２３ｂには、第２の摺動ガイド１６と摺動自在に係合する係合ピン１６ａが配設される。
【００３１】
このように構成されたディスク装置は、図３に示すように、先ず、装置本体１２側に、第１の摺動ガイド１５を配設してから、オープンつまみ１３、ターンテーブル１４ａ、メカドライブ機構３０、及びラッチ機構１５ａを組み込み、さらに下ディスクガイド２１を回動自在に設ける。
そして、蓋体１１側に、第２の摺動ガイド１５を配設してから、閉止リブ１１ａとクランプ１９とを組み込み、さらに上ディスクガイド２２を回動自在に設ける。
そして、奥ディスクガイド２３の一端の突起片２３ａに設けた係合ピン１５ｃを、装置本体１２の第１の摺動ガイド１５に摺動自在に設け、奥ディスクガイド２３の他端の突起片２３ｂに設けた係合ピン１６ａを、蓋体１１の第２の摺動ガイド１６に摺動自在に設ける。
そして、蓋体１１と装置本体１２とを開閉自在とする回動軸を挿通してヒンジ１８を構成する（図１，図２及び図４Ａ参照）。
【００３２】
次に、このように構成される本例のディスク装置１０のディスク３の挿入及び取り出しの動作を説明する。
【００３３】
先ず、蓋体１１が閉止されている状態におけるディスク装置１０を、図４及び図５を参照して説明する。
この閉止の状態では、ディスク装置１０は、図４Ａ及びＢに示すように、上ディスクガイド２２の直線部２２ａ-1が第２の摺動ガイド１６との干渉からの逃げ部を構成するとともに、下ディスクガイド２１の突片２１-2，２１-3の上端が蓋体１１の内面と当接し、上ディスクガイド２２のコの字形状部２２ｃ，２２ｄが装置本体１２の上面１２-1と当接して、蓋体１１と装置本体１２との間隙に所定の空間を形成するようにしている。
そして、ディスク３が未装着の状態では、図４Ａ及びＢの実線に示すように、奥ディスクガイド２３がターンテーブル１４ａに近づいた前進の位置となり、ターンテーブル１４ａのディスクホールド１４ｃとクランプ１９の円形の凹部が係合するようになされる。
また、ディスク３が装着状態では、図４Ａ及びＢの２点鎖線で示すように、奥ディスクガイド２３が後退の位置となり、上述のようにターンテーブル１４ａのディスクホールド１４ｃとクランプ１９とでディスク３を回転自在に挟持（図５参照）する。
【００３４】
次に、蓋体１１が開の状態におけるディスク３の挿入動作を図８〜図９を参照して説明する。
図８は、ディスク装置１０の側断面模式図であり、図８Ａは蓋体１１の開直後、図８Ｂはディスク３の挿入当初、図８Ｃはディスク３の挿入完了、図８Ｄはディスク３が装着され蓋体１１閉の状態を示している。なお、図８で、上ディスクガイド２２は、簡単のためサポート部２２-2は示さず、ガイド部２２-1のみをヒンジ２９とともに示す。
また、図９は、図２に示す矢視Ｅの方向から見たディスク装置１０の正面斜視図であり、図９Ａは蓋体１１の開直後、図９Ｂはディスク３の挿入当初、図９Ｃはディスク３の挿入完了の状態を示している。
【００３５】
先ず、蓋体１１が開直後の状態を、図８Ａ及び図９Ａを参照して説明する。図８Ａに示すように、下ディスクガイド２１は、ねじりコイルバネ１２ｂ（図２参照）により図の矢印Ａの方向に付勢されて回動し、Ｖ字状の凹部２１ｊと両端の突片２１-2，２１-3が持ち上がった状態となる。一方、上ディスクガイド２２は、曲げ加工により付与された付勢力及び上ディスクガイド２２の自重により、図８Ａに示す図の矢印Ｂの方向に付勢されて回動し、装置本体１２の上面１２-1に当接した状態となる。
また、奥ディスクガイド２３は、その突起片２３ａが第１の摺動ガイド１５に組み込まれている付勢手段によりターンテーブル１４ａの方向に付勢されているため、側断面図８Ａに示すように、一端の突起片２３ａがヒンジ１８から遠い第１摺動ガイド１５の端部１５-1の近くに移動し、他端の突起片２３ｂもヒンジ１８から遠い第２摺動ガイド１６の端部１６-1の近くに配される。
【００３６】
このとき、図９Ａに示すように、上方に付勢される下ディスクガイド２１のＶ字状の凹部２１ａと、垂下する方向に付勢される上ディスクガイド２２の逆Ｖ字凹部のガイド部２２-1とにより、上下のディスクガイド２１，２２がＶ字凹部の縁辺で交差し、図９Ａの斜線で示す略菱形の開口部が形成され、左右に２つの略「く」の字状の交点Ｘ１，Ｘ２（距離Ｄ１）をもつものとなる。
【００３７】
そして、図８Ａ及び図９Ａに示す蓋体１１の開直後の開口部の交点Ｘ１，Ｘ２に対し、ディスク３の外周縁辺を押し当て、開口部を広げるようにしてディスク３を挿入する。
このとき、下ディスクガイド２１の付勢力（図８Ａの矢印Ａ方向）を上ディスクガイド２２の付勢力（図８Ａの矢印Ｂ方向）よりも大きなものとしているため、下ディスクガイド２１は殆ど動かず、上ディスクガイド２２のみを大きく反時計方向に回動させながらディスク３の挿入操作が行われる。
【００３８】
次に、ディスク３の挿入当初の状態を、図８Ｂ及び図９Ｂを参照して説明する。
図８Ｂの２点鎖線で示すように、ディスク３を挿入すると、奥ディスクガイド２３の下面２３-1（図７Ｂ参照）にディスク３の先端付近の縁辺が接し、それからさらにディスク３を押すと、図８Ｂの実線で示すように、この下面２３-1を滑り下りてディスク３の縁辺が、奥ディスクガイド２３の隅部２３ｅに当接して滑りが止まり係止された状態となる。
そして、ディスク３は、交点Ｘ１，Ｘ２による２つの略「く」の字状のガイドと奥ディスクガイド２３の隅部２３ｅとの３点により姿勢が支持されるものとなる。
このとき、図９Ｂに示すように、交点Ｘ１，Ｘ２間は図９Ａと比べ大きく距離がＤ２（Ｄ２＞Ｄ１）となるように広がるものとなる。そして、上下のディスクガイド２１，２２で形成される開口部の２つの略「く」の字状の交点Ｘ１，Ｘ２でディスク３がガイドされるため、データ記録面やタイトル面に上下のディスクガイド２１，２２、ターンテーブル１４ａなどと接触することがない。
【００３９】
次に、ディスク３の挿入完了の状態を、図８Ｃ及び図９Ｃを参照して説明する。
図８Ｃに示すように、ディスク３を、奥ディスクガイド２３の隅部２３ｅに当接させた状態で、第１の摺動ガイドに設けた図示しない付勢手段に抗してディスク装着位置付近まで押し込むと、奥ディスクガイド２３の一端の突起片２３ａが第１の摺動ガイド１５のヒンジ１８側の端１５-2付近まで後退し、そこでラッチ機構１５ａと係合して係止した状態となり、他端の突起片２３ｂが第２の摺動ガイド１６のヒンジ１８側の端１６-2付近まで後退する。
なお、図８Ｃに示す奥ディスクガイド２３の係止位置は、蓋体１１を閉じて、ターンテーブル１４ａのディスクホールド１４ｃに、ディスク３のセンターホール３ａが入った際にディスク外周と、奥ディスクガイド２３の間に若干の隙間が生ずる位置に設定される。
【００４０】
このとき、図９Ｃに示すように、交点Ｘ１，Ｘ２間は、ディスク３の外径よりも僅かに大きい距離Ｄ３（Ｄ３＞Ｄ２）まで広がり、上下のディスクガイド２１，２２で形成される開口部の交点Ｘ１，Ｘ２でディスク３がガイドされるとともに、下ディスクガイド２１の突片２１-2，２１-3と上ディスクガイド２２のコの字形状部２２ｃ、２２ｄとがディスク３の挿入における横方向のガイドとなる。そして、ディスク３のデータ記録面やタイトル面に上下のディスクガイド２１，２２、ターンテーブル１４ａなどと接触することなく挿入を行うことができる。
なお、このときディスク３の厚さにより上下のディスクガイド２１，２２による開口部は上下方向に押し広げられ、開口部の交点Ｘ１，Ｘ２は、ディスク３の外径の外側に配されるようになる。このため、交点Ｘ１，Ｘ２は、下ディスクガイド２１の突片２１-2，２１-3と上ディスクガイド２２のコの字形状部２２ｃ、２２ｄとの重なり部に形成され、距離Ｄ３は突片２１-2，２１-3の内法間隔となる。
【００４１】
次に、ディスク３が装着され蓋体１１閉の状態を、図８Ｄを参照して説明する。
図８Ｄに示すように、ディスク３が図８Ｃに示す装着位置まで押し込んだあと、蓋体１１を閉じることにより、蓋体１１を閉止するとともにディスク３を装着状態とすることができる。
すなわち、ヒンジ１８、下ディスクガイド２１及び上ディスクガイド２２の付勢力に抗して蓋体１１を閉じると、奥ディスクガイド２３は  突起片２３ａが係合ピン１５ｃ回りに回動できるので、図８Ｄに示すように、蓋体１１を閉止すると同時にディスク３をターンテーブル１４ａに装着状態とすることができる。このとき、蓋体１１に設けられるリブ１１-2は蓋体１１が閉じられるとき、ディスク３をディスク装置１０の内側に押し込み、呼込み作用を行うようにしている。
【００４２】
また、このとき蓋体１１の手扱いによる閉止操作により、クランプ１９の円形の凹部がターンテーブル１４ａのディスクホールド１４ｃを覆い、ディスク３を回転自在に保持している。なお、蓋体１１はヒンジ１８の回りに回動し、ターンテーブル１４ａのディスクホールド１４ｃに対し、クランプ１９が回動しながら覆うようになされるため、上述のように、ディスクホールド１４ｃの略上半分が台形状に成形され呼込みテーパーとしている。
そして、下ディスクガイド２１の２つの突片２１-2，２１-3の上端が蓋体１１の内面に当接し、上ディスクガイド２２の２つのコの字形状部２２ｃ，２２ｄの中間部材２２ｃ-2，２２ｄ-2が装置本体１２の上面１２-1に当接することにより、ディスク３の回転時にディスク３とこれらの部材が干渉することのないように構成されている。
【００４３】
ディスク装置１０は、通常はこの図８Ｄに示す蓋体１１が閉止の状態でディスク３に記録されているデータを再生（読み出し）する。
【００４４】
次に、蓋体１１を開けるときの動作を説明する。
ディスク３の交換などのために蓋体１１を開けるときの動作は、先ず、図１に示すオープンつまみ１３を横にスライドして、蓋体１１の閉止リブ１１ａを閉止状態から開放する。そうすると、ヒンジ１８に組込まれている図示しない付勢ばねにより、蓋体１１が開の状態となる（図８Ｃ参照）。
そして、蓋体１１の開き角度に応じ、先ず、ターンテーブル１４ａ上のディスクホールド１４ｃからディスク３が外れ、次に下ディスクガイド２１がディスク３を持ち上げる。そして、蓋体１１が開ききる少し手前でその角度をトリガーとして、奥ディスクガイド２３の一端の突起片２３ａを係止していたラッチ機構１５ａが解除され、第１の摺動ガイド１５に組み込まれている図示しない付勢手段の付勢力により、図８Ｃから図８Ｂに示す位置までの奥ディスクガイド２３の移動とともにディスク３が押し出される。このとき、奥ディスクガイド２３の一端の突起片２３ａが、装置本体１２の第１の摺動ガイド１６の端１６-1の近くまで移動し、ディスク３を蓋体１１の開放側に押し出ようになされる（図８Ｂの実線のディスク３）。
【００４５】
本例のディスク装置１０によれば、ディスク３のターンテーブル１４ａへの装着のとき、上下のディスクガイド２１，２２で形成される略菱形の開口部の２つの略「く」の字状の交点Ｘ１，Ｘ２で、ディスク３の挿入のときの左右のガイドとし、奥ディスクガイド２３の下面２３-1及び隅部２３ｅで挿入時のディスク３の姿勢を支持するようになされるため、挿入が簡便となるだけでなく、ディスク３の記録面に傷をつけるおそれを大幅に低減することができる。
すなわち、従来のディスク装置におけるディスク挿入操作では、指でディスク３をターンテーブルと略平行となるように把持して、ディスク３の裏面をターンテーブル１４ａの中央の突起と干渉させないようにしてディスク装着位置まで挿入していたが、本例のディスク装置１０では、ディスク３は、下ディスクガイド２１と上ディスクガイド２２とで形成された開口部に向かって斜め方向から挿入し、奥ディスクガイド２３の隅部２３ｅに当接させた状態で押し込むと、ラッチ機構１５ａで係止された位置がディスク３の装着位置となり、この状態で蓋体１１を閉じるだけでディスク３の装着を行うことができるため、ディスク３の挿入操作が極めて簡便となる。
【００４６】
また、ディスク３の取り出しも、蓋体１１を開けるだけでディスク３がターンテーブル１４ａから外れ、下ディスクガイド２１により、所定量装置本体１２の上面１２-1から浮き上がり、他部位と干渉することなく手扱いし易い位置まで出てくるので、ディスク３をターンテーブル１４ａから外す手間が省け、操作性が向上し取扱いが極めて簡便なものとすることができる。
さらに、ユーザーがディスク３をターンテーブル１４ａから手扱いで外す必要がないので、ディスク３を外すために必要な指掛けのスペースを確保する必要が無くなり、デザイン上の制約を無くすことができる。
【００４７】
なお、上述図１〜図９例では、上ディスクガイド２２を、蓋体１１に組み込んだときに付勢力を生じるように、金属の線材を曲げ加工し、図６に示すような形状としたものであるが、これに限らず、例えば図１０に示すように、軟質のプラスチックで成形してもよい。
図１０Ａ〜Ｃは、プラスチック成形で作製した上ディスクガイド３２の三面図を示し、図１０Ａは正面図、図１０Ｂは下面図、図１０Ｃは左側面図であり、図１０Ｄは斜視図である。
この上ディスクガイド３２は、ガイド部３２ａ、固定部３２ｂ、突起３２ｃ、３２ｄおよびヒンジ部３２-1がモールド成形などにより一体に形成されるものである。このとき、ガイド部３２ａと固定部３２ｂとの角度を、例えば略９０°となるように形成する。
そして、ガイド部３２ａと固定部３２ｂとを略同一面とした状態で、ディスク装置の蓋体１１に固定部３２ｂを取付け、上ディスクガイド３２をヒンジ部３２-1の回りに回動自在とする。このようにすることにより突起３２ｃ、３２ｄを装置本体１２の上面１２-1に当接させる方向に、上ディスクガイド３２のガイド部３２ａを付勢するようにできる。そして、上述例と同様に、上ディスクガイド３２と下ディスクガイド２１とによる開口部の２つの交点をディスク３挿入時のガイドとすることができる。
【００４８】
また、下ディスクガイドは、上述図１〜図９例ではＶ字状の凹部２１ａを有するプラスチックなどの略台形の薄板としたが、これの代わりに、図１１に示す下ディスクガイド３１のように、金属の線材を曲げ加工してＶ字状凹部を形成するようにした構造でもよい。図１１では、金属線の直線部３１ｂ，３１ｃ，３１ｄでＹ字形状を作ったあと、Ｙ字の縦棒の直線部３１ｄに直交するように金属の円筒管である直管３１ｅを設ける。そして、この直管３１ｅの一端３１ｅ-1からＹ字の上端となる端３１ｂ-1に曲線部３１ｆを設け、他端３１ｅ-2からＹ字の上端となる端３１ｃ-1に曲線部３１ｇを設け、主フレームを形成する。
この主フレームの形成のとき、線材の接合部では上部に溶接ばりなど凸部を残さないようにするとともに、接合後にこれらの線材で形成される面が略平面をなすように調整する。  
それから、主フレームの曲線部３１ｆ，３１ｇの端３１ｂ-1，３１ｃ-1の側に、この主フレームの平面に垂直に突起３１-2，３１-3を設けて下ディスクガイド３１とする。ここで突起３１-2，３１-3は金属線で矩形状に曲げ加工したものであっても金属、あるいはプラスチックなどの板であってもよい。
そして、この下ディスクガイド３１の直管３１ｅに回動の軸を挿通して、その両端にヒンジを設けて装置本体１２に設けるようにすればよい。
【００４９】
すなわち、本例のディスク装置１０では、ディスク３は、下ディスクガイドと上ディスクガイドとで形成された開口部に向かって斜め方向から挿入されるため、この挿入方向に突出がなければディスク３の下面に傷などを生じさせることなくディスク３の挿入を行うことができる。
すなわち、下ディスクガイドと上ディスクガイドとにより開口部が形成され、下ディスクガイドによって開口部が装置本体１２の上面１２-1からある程度の高さに保持されるように構成してあれば、ディスク３とディスク装置１０の内部部材との干渉は回避でき、挿入時の操作の改善を図ることができる。
【００５０】
したがって、上記要件を満たせば、例えば下ディスクガイド２１の上面２１-1は平面である必要もなく、また、Ｖ字部縁辺も曲線状として形成されていてもよい。また、下ディスクガイド３１においても、主フレームの線部３１ｄは上に凸あるいは下に凸であっても極端に大きな凹凸の形状でない限りよく、Ｖ字部の縁辺の線部３１ｂ，３１ｃも曲線状に形成されていてもよい。さらに、薄板状に上ディスクガイドを形成してもよい。
また、奥ディスクガイド２３は、１／４円弧状とし、第１の摺動ガイド１５と第２の摺動ガイド１６を、ディスクドライブ機構３０の図４Ａに示す両側に配するようにしたが、これに限らず、ディスクドライブ機構３０のいずれかの側に配設し、奥ディスクガイド２３を直線状の棒として両端に突起片を設けるようにしてもよいものである。
【００５１】
本発明のディスク装置は、上述例に限ることなく本発明の要旨を逸脱することなく、その他種々の構成をとり得ることは勿論である。例えば、上述例ではポータブル型のディスク装置に適用したが、その他据置型のディスク装置にも適用可能である。また、上述例では再生装置に適用したが、同様の蓋体を備えたディスク装置であれば記録装置にも適用可能である。
【図面の簡単な説明】
【００５２】
【図１】本発明の一実施の形態によるディスク装置の構成を示し、開状態での蓋体を透視して示した斜視図である。
【図２】本発明の一実施の形態によるディスク装置の構成を示し、開状態での側断面模式図である。
【図３】本発明の一実施の形態によるディスク装置の構成を説明するため蓋体と奥ディスクガイドを装置本体から外して示した説明斜視図である。
【図４】本発明の一実施の形態によるディスク装置の構成を示し、閉の状態での蓋体を透視して示した上面図である。
【図５】本発明の一実施の形態によるディスク装置のターンテーブルにおけるディスクの保持状態を示す断面図である。
【図６】本発明の一実施の形態によるディスク装置の上ディスクガイドの三面図を示し、Ａは正面図、Ｂは側面図、Ｃは下面図である。
【図７】本発明の一実施の形態によるディスク装置の奥ディスクガイドの三面図を示し、Ａは正面図、Ｂは側面図、Ｃは下面図である。
【図８】本発明の一実施の形態によるディスク装置の側断面模式図であり、Ａは蓋体の開直後、Ｂはディスクの挿入始め、Ｃはディスクの挿入完了、Ｄはディスクが装着され蓋体閉の状態である。
【図９】本発明の一実施の形態によるディスク装置の、図２に示す矢視Ｅの方向から見たディスク装置の正面斜視図であり、Ａは蓋体開直後、Ｂはディスクの挿入直後、Ｃはディスクの挿入完了の状態である。
【図１０】本発明の他の実施の形態によるディスク装置の上ディスクガイドを示し、Ａは正面図、Ｂは下面図、Ｃは左側面図であり、Ｄは斜視図である。
【図１１】本発明の他の実施の形態によるディスク装置の下ディスクガイドの斜視図である。
【図１２】従来のディスク装置の側方からの外観図である。
【図１３】従来のディスク装置の斜め上方からの斜視図である。
【符号の説明】
【００５３】
３…ディスク、１０…ディスク装置、１１…蓋体、１２装置本体、１４ａ…ターンテーブル、１５…第１の摺動ガイド、１５ａ…ラッチ機構、１６…第２の摺動ガイド、２１…下ディスクガイド、２２…上ディスクガイド、２３…奥ディスクガイド、２３ｅ…隅部、Ｘ１，Ｘ２…交点
【図１】
2005346888.tif 000003
【図２】
2005346888.tif 000004
【図３】
2005346888.tif 000005
【図４】
2005346888.tif 000006
【図５】
2005346888.tif 000007
【図６】
2005346888.tif 000008
【図７】
2005346888.tif 000009
【図８】
2005346888.tif 000010
【図９】
2005346888.tif 000011
【図１０】
2005346888.tif 000012
【図１１】
2005346888.tif 000013
【図１２】
2005346888.tif 000014
【図１３】
2005346888.tif 000015